(57)【特許請求の範囲】
【請求項１】
ターゲットデバイスのための送信支援のための、少なくとも1つの近隣デバイス上で動作可能な方法であって、
サービングアクセスポイントによる1つまたは複数の送信を、共有の非同期の第1のチャネルから、受信するステップであって、前記第1のチャネルは、第1の周波数スペクトル、第1の通信プロトコル、ならびに/または第1の変調およびコーディング方式を使用する、ステップと、
前記ターゲットデバイスが、前記共有の非同期の第1のチャネルを介して前記サービングアクセスポイントよって送信された場合に受信された第1の送信の予定受信側であると決定するステップと、
しきい値時間期間の満了後、前記共有の非同期の第1のチャネルまたは異なる第2のチャネルを介して、前記受信された第1の送信を前記ターゲットデバイスに中継するステップと、
前記受信された第1の送信の再送信が第2のチャネルを介して所望されることを示すメッセージを前記第2のチャネルを介して前記ターゲットデバイスから受信するステップであって、前記第2のチャネルが、前記第1のチャネルとは異なる、第2の周波数スペクトル、第2の通信プロトコル、ならびに/または第2の変調およびコーディング方式を使用する、ステップと
を含む、方法。
【請求項２】
前記共有の非同期の第1のチャネルおよび前記第2のチャネルが、異なる重複しない周波数スペクトルを介して確立される、請求項1に記載の方法。
【請求項３】
前記共有の非同期の第1のチャネルが、前記第2のチャネルと同一の広がりをもつ、請求項1に記載の方法。
【請求項４】
前記しきい値時間期間が、前記第1の送信の受信に対して同期している、請求項1に記載の方法。
【請求項５】
前記受信された第1の送信をキャプチャし、復号するステップ
をさらに含む、請求項1に記載の方法。
【請求項６】
失敗インジケータが前記ターゲットデバイスから受信される場合のみ、前記受信された第1の送信が中継される、請求項1に記載の方法。
【請求項７】
前記受信された第1の送信が、前記サービングアクセスポイントからの期待された再送信と同時発生的に中継される、請求項1に記載の方法。
【請求項８】
前記第1のチャネルが、前記サービングアクセスポイントからのすべてのブロードキャスト送信のために共有される、請求項1に記載の方法。
【請求項９】
ターゲットデバイスのための送信支援のための、少なくとも1つの近隣デバイス上で動作可能な装置であって、
サービングアクセスポイントによる1つまたは複数の送信を、共有の非同期の第1のチャネルから、受信するための手段であって、前記第1のチャネルは、第1の周波数スペクトル、第1の通信プロトコル、ならびに/または第1の変調およびコーディング方式を使用する、手段と、
前記ターゲットデバイスが、前記共有の非同期の第1のチャネルを介して前記サービングアクセスポイントよって送信された場合に受信された第1の送信の予定受信側であると決定するための手段と、
しきい値時間期間の満了後、前記共有の非同期の第1のチャネルまたは異なる第2のチャネルを介して、前記受信された第1の送信を前記ターゲットデバイスに中継するための手段と、
前記受信された第1の送信の再送信が第2のチャネルを介して所望されることを示すメッセージを前記第2のチャネルを介して前記ターゲットデバイスから受信するための手段であって、前記第2のチャネルが、前記第1のチャネルとは異なる、第2の周波数スペクトル、第2の通信プロトコル、ならびに/または第2の変調およびコーディング方式を使用する、手段と
を備える、装置。
【請求項１０】
サービングアクセスポイントのための送信支援のための、少なくとも1つの近隣デバイス上で動作可能な方法であって、
共有の非同期の第1のチャネルを介して、ターゲットデバイスから第1の送信を受信するステップであって、前記第1の送信が、前記ターゲットデバイスから前記サービングアクセスポイントにも送られ、前記第1のチャネルは、第1の周波数スペクトル、第1の通信プロトコル、ならびに/または第1の変調およびコーディング方式を使用する、ステップと、
前記サービングアクセスポイントとの時間期間を事前に割り振るステップと、
前記第1の送信が前記サービングアクセスポイントによって受信されなかったと決定するステップであって、前記少なくとも1つの近隣デバイスによる前記受信された第1の送信の再送信が所望されることを前記サービングアクセスポイントから受信されるメッセージが示す場合を含む、ステップと、
前記第1の送信が前記サービングアクセスポイントによって受信されなかったと決定した後に前記事前に割り振られた時間期間が満了するまで待機するステップと、
前記事前に割り振られた時間期間の満了後、前記共有の非同期の第1のチャネルまたは異なる第2のチャネルを介して、前記受信された第1の送信を前記サービングアクセスポイントに中継するステップであって、前記第2のチャネルが、前記第1のチャネルとは異なる、第2の周波数スペクトル、第2の通信プロトコル、ならびに/または第2の変調およびコーディング方式を使用する、ステップと
を含む方法。
【請求項１１】
前記共有の非同期の第1のチャネルを介して、前記ターゲットデバイスから第2の送信を受信するステップであって、前記第2の送信が前記サービングアクセスポイントに送られない、ステップと、
前記共有の非同期の第1のチャネルまたは前記異なる第2のチャネルを介して、前記受信された第2の送信と、前記ターゲットデバイスからの第3の送信の両方を、前記サービングアクセスポイントに同時にブロードキャストするステップであって、前記第2の送信および前記第3の送信が同じ送信である、ステップと
をさらに含む、請求項10に記載の方法。
【請求項１２】
送信を送るすべてのデバイスが、同じ時間および/または周波数リソースを使用して、ローカルの単一周波数ネットワークを形成する、請求項10に記載の方法。
【請求項１３】
前記第1の送信が前記サービングアクセスポイントによって受信されなかったか否かを決定するステップが、前記サービングアクセスポイントが、少なくとも前記ターゲットデバイスによって受信される失敗インジケータ(NAK)を送るか否かを決定するステップを含む、請求項10に記載の方法。
【請求項１４】
サービングアクセスポイントのための送信支援のための、少なくとも1つの近隣デバイス上で動作可能な装置であって、
共有の非同期の第1のチャネルを介して、ターゲットデバイスから第1の送信を受信するための手段であって、前記第1の送信が、前記ターゲットデバイスから前記サービングアクセスポイントにも送られ、前記第1のチャネルは、第1の周波数スペクトル、第1の通信プロトコル、ならびに/または第1の変調およびコーディング方式を使用する、手段と、
前記サービングアクセスポイントとの時間期間を事前に割り振るための手段と、
前記第1の送信が前記サービングアクセスポイントによって受信されなかったと決定するための手段であって、前記少なくとも1つの近隣デバイスによる前記受信された第1の送信の再送信が所望されることを前記サービングアクセスポイントから受信されるメッセージが示す場合を含む、手段と、
前記第1の送信が前記サービングアクセスポイントによって受信されなかったと決定した後に前記事前に割り振られた時間期間が満了するまで待機するための手段と、
前記事前に割り振られた時間期間の満了後、前記共有の非同期の第1のチャネルまたは異なる第2のチャネルを介して、前記受信された第1の送信を前記サービングアクセスポイントに中継するための手段であって、前記第2のチャネルが、前記第1のチャネルとは異なる、第2の周波数スペクトル、第2の通信プロトコル、ならびに/または第2の変調およびコーディング方式を使用する、手段と
を備える装置。
【請求項１５】
実行されるとコンピュータに請求項1から8または10から13のいずれか一項に記載の方法を行わせる命令を記憶した、コンピュータ可読記憶媒体。
【発明の詳細な説明】
【技術分野】
【０００１】
優先権の主張
本特許出願は、その開示全体が参照により本明細書に明確に組み込まれる、2014年8月7日に出願された「Ultra-Reliable Communications Using Neighboring Device-to-Device Assistance」という名称の仮出願第62/034,284号、および、2015年3月27日に出願された「Ultra-Reliable Communications Using Neighboring Device-to-Device Assistance」という名称の非仮出願第14/671,846号の優先権を主張する。
【０００２】
様々な特徴は、少なくとも1つの近隣または近くのデバイスに、ネットワークアクセスポイントとターゲットモバイルデバイスとの間のアップリンクおよびダウンリンク送信の中継を支援させることによって、ターゲットモバイルデバイスへの高信頼性または超高信頼性通信を容易にするための通信デバイスおよび方法に関する。
【背景技術】
【０００３】
モバイル通信デバイスは、典型的に、ワイヤレスネットワークを介して、および、ネットワーク(サービング)アクセスポイント(たとえば、発展型ユニバーサル地上波無線アクセスネットワーク(E-UTRAN)ノードB、または発展型ノードB、またはeNB)を通して通信する。異なるサービス(たとえば、データ、音声、ビデオなど)は、異なるサービス品質または接続信頼性要件を有することがある。高信頼性および/または超高信頼性接続を、ネットワーク(または、サービング)アクセスポイントとターゲットモバイルデバイスとの間で維持することは、困難である。たとえば、ターゲットモバイルデバイスの移動、環境条件、地理的または建築の障害物などは、ネットワークアクセスポイントとターゲットモバイルデバイスとの間の接続またはリンクにおける信号品質の損失を引き起こすことがある。信号品質の損失を引き起こし得るいくつかのシナリオには、たとえば、フェージング、いくつかの伝搬媒体を介した信号品質の低下、または、大きい障害物が送信機と受信機との間の主要な信号経路を覆い隠すシャドーイングが含まれ得る。
【０００４】
そのような信号品質の損失に対処するための1つの解決策は、レイテンシを増大させ得る、送信の時間ダイバーシティを伴うことがある。そのような信号品質の損失に対処するための別の解決策は、送信の周波数ダイバーシティを伴うことがある。この手法を使用する場合、すべてのデバイス(たとえば、eNBなどのサービスアクセスポイント、およびユーザ機器またはUEとも呼ばれるモバイルデバイス)は、異なる周波数スペクトル、帯域、および/またはキャリアにわたって動作可能であるべきである。そのような信号品質の損失に対処するためのまた別の解決策は、送信の空間ダイバーシティを伴うことがある。この手法では、一般に、サービスアクセスポイントおよび/またはモバイルデバイスに複数のアンテナが装備されることが必要である。
【発明の概要】
【課題を解決するための手段】
【０００５】
1つの特徴は、ターゲットデバイスのためのダウンリンク送信支援のための、近隣デバイス上で動作可能な方法を提供する。近隣デバイスは、サービングアクセスポイントからのブロードキャスト送信のための共有の非同期の第1のチャネルを監視する。近隣デバイスはまた、共有の非同期の第1のチャネルを介して受信された第1の送信がターゲットデバイスに向けられているか否かを決定する。たとえば、受信された第1の送信が、キャプチャされ、復号され得る。しきい値時間期間の満了後、近隣デバイスは、第1のチャネルまたは異なる第2のチャネルを介して、受信された第1の送信をターゲットデバイスに中継する。
【０００６】
一態様によれば、第1のチャネルおよび第2のチャネルは、異なる重複しない周波数スペクトルを介して確立される。別の態様によれば、第1のチャネルは、第2のチャネルと同一の広がりをもつ。
【０００７】
しきい値時間期間は、第1の送信の受信に対して同期し得る。いくつかの実装形態では、受信された第1の送信は、復号遅延後、自動的に中継され得る。
【０００８】
一態様によれば、失敗インジケータがターゲットデバイスから受信される場合のみ、受信された第1の送信が中継される。別の態様によれば、受信された第1の送信は、サービングアクセスポイントからの期待された再送信と同時発生的に中継される。
【０００９】
一態様によれば、第1のチャネルは、第1の周波数スペクトル、第1の通信プロトコル、ならびに/または第1の変調およびコーディング方式を使用する。別の態様によれば、この方法はまた、受信された第1の送信の再送信が第2のチャネルを介して所望されることを示すメッセージを、第2のチャネルを介してターゲットデバイスから受信するステップであって、第2のチャネルが、第1のチャネルとは異なる、第2の周波数スペクトル、第2の通信プロトコル、ならびに/または第2の変調およびコーディング方式を使用する、ステップを含む。また別の態様によれば、受信された第1の送信は、第1のチャネルを介した送信の期待された送信時間間隔内に中継される。
【００１０】
一態様によれば、第1の送信は、第1のチャネルおよび/または第2のチャネルのチャネル状態にかかわらず、中継される。別の態様によれば、第1のチャネルは、サービングアクセスポイントからのすべてのブロードキャスト送信のために共有される。
【００１１】
別の特徴は、サービングアクセスポイントのためのアップリンク送信支援のための、少なくとも1つの近隣デバイス上で動作可能な方法を提供する。近隣デバイスは、ブロードキャスト送信のための共有の非同期の第1のチャネルを介して、ターゲットデバイスから第1の送信を受信する。第1の送信は、ターゲットデバイスからサービングアクセスポイントにも送られる。追加の時間期間が、サービングアクセスポイントによって事前に割り振られる。近隣デバイスは、第1の送信がサービングアクセスポイントによって受信されなかったか否かを決定する。事前に割り振られた追加の時間期間の満了後、近隣デバイスは、共有の非同期の第1のチャネルまたは異なる第2のチャネルを介して、受信された第1の送信をサービングアクセスポイントに中継する。
【００１２】
一態様によれば、この方法はまた、ブロードキャスト送信のための共有の非同期の第1のチャネルを介して、ターゲットデバイスから第2の送信を受信するステップであって、第2の送信がサービングアクセスポイントに送られない、ステップを含む。この方法はまた、共有の非同期の第1のチャネルまたは異なる第2のチャネルを介して、受信された第2の送信と、ターゲットデバイスからの第3の送信の両方を、サービングアクセスポイントに同時にブロードキャストするステップであって、第2の送信および第3の送信が同じ送信である、ステップを含む。
【００１３】
一態様によれば、送信を送るすべてのデバイスは、同じ時間および/または周波数リソースを使用して、ローカルの単一周波数ネットワークを形成する。
【００１４】
一態様によれば、サービングアクセスポイントは、送信を中継する能力があるいくつかの近くの追加のデバイスから、ユニキャストされるべき受信された第1の送信の中継を選択する。
【００１５】
一態様によれば、第1の送信がサービングアクセスポイントによって受信されなかったか否かを決定するステップは、サービングアクセスポイントが、少なくともターゲットデバイスによって受信される失敗インジケータ(NAK)を送るか否かを決定するステップを含む。
【図面の簡単な説明】
【００１６】
【図１】本開示のいくつかの態様による、例示的なワイヤレスネットワークを示すブロック図である。
【図２】本開示のいくつかの態様による、近隣デバイスが、ターゲットモバイルデバイスに向けられたサービングアクセスポイントからの送信をキャプチャする、例示的なワイヤレスネットワークにおけるダウンリンク支援を示すブロック図である。
【図３】本開示のいくつかの態様による、近隣デバイスが、ターゲットモバイルデバイスに向けられたサービングアクセスポイントからの前にキャプチャされた送信を再送信または中継する、例示的なワイヤレスネットワークにおけるダウンリンク支援を示すブロック図である。
【図４】本開示のいくつかの態様による、3つのダウンリンク中継シナリオを示す図である。
【図５】本開示のいくつかの態様による、ターゲットデバイスのためのダウンリンク送信支援のための、近隣デバイス上で動作可能な例示的な方法を示す図である。
【図６】本開示のいくつかの態様による、サービングアクセスポイントが近隣デバイスの中継機能を認識している、第1の中継方式の第1の部分を示す図である。
【図７】本開示のいくつかの態様による、サービングアクセスポイントが近隣デバイスの中継機能を認識している、第1の中継方式の第2の部分を示す図である。
【図８】本開示のいくつかの態様による、サービングアクセスポイントが近隣デバイスの中継機能を認識していない、第2の中継方式の第1の部分を示す図である。
【図９】本開示のいくつかの態様による、サービングアクセスポイントが近隣デバイスの中継機能を認識していない、第2の中継方式の第2の部分を示す図である。
【図１０】本開示のいくつかの態様による、3つのアップリンク中継シナリオを示す図である。
【図１１】本開示のいくつかの態様による、サービングアクセスポイントのためのアップリンク送信支援のための、近隣デバイス上で動作可能な例示的な方法を示す図である。
【図１２】本開示のいくつかの態様による、ダウンリンク支援方式を示す図である。
【図１３】本開示のいくつかの態様による、ダウンリンク送信支援のために使用されるワイヤレス通信デバイスのための例示的なハードウェア実装形態を示すブロック図である。
【図１４】本開示のいくつかの態様による、アップリンク送信支援のために使用されるネットワーク通信デバイスのための例示的なハードウェア実装形態を示すブロック図である。
【図１５】本開示のいくつかの態様による、図13〜図14において使用される、例示的なワイヤレス通信回路またはネットワーク通信回路を示すブロック図である。
【発明を実施するための形態】
【００１７】
以下の説明では、実施形態の完全な理解をもたらすために、具体的な詳細が与えられる。しかしながら、実施形態がこれらの具体的な詳細なしに実施されてもよいことが、当業者によって理解されよう。たとえば、実施形態が不要な詳細で不明瞭になるのを避けるために回路をブロック図で示すことがある。他の場合には、実施形態を不明瞭にしないように、よく知られている回路、構造および技法を詳細に示さないことがある。
【００１８】
「例示的」という言葉は、本明細書では、「例、事例、または例示として機能する」ことを意味するために使用される。「例示的」と本明細書に記載されたいかなる実装形態または実施形態も、必ずしも他の実施形態よりも好ましいか、または有利であると解釈されるべきではない。同様に、「実施形態」という用語は、すべての実施形態が、説明された特徴、利点、または動作モードを含むことを必要としない。
【００１９】
概説
サービングアクセスポイント(たとえば、発展型ユニバーサル地上波無線アクセスネットワーク(E-UTRAN)ノードB、または発展型ノードB、またはeNB)と、ターゲットモバイルデバイス(たとえば、ユーザ機器またはUEとしても知られる)との間の改善されたリンク信頼性は、(たとえば、近隣UEとターゲットモバイルデバイスとの間の)近隣デバイスからのデバイス間中継を用いて達成され得る。サービングアクセスポイントからターゲットモバイルデバイスへのダウンリンク方向では、中継する近隣デバイスは、(サービングアクセスポイントによって送られた)同じメッセージをターゲットモバイルデバイスに送信または中継し、それによって、ローカルの単一周波数ネットワークを作り出すことができる。同様に、ターゲットモバイルデバイスからサービングアクセスポイントへのアップリンク方向では、近隣デバイスは、(ターゲットモバイルデバイスによって送られた)同じメッセージをサービングアクセスポイントに再送信または中継することができる。アップリンク方向におけるこの手法は、ターゲットモバイルデバイスの近隣であるか、またはそれに近い1つまたは複数のデバイスを通して、サービスアクセスポイントとターゲットモバイルデバイスとを接続する、代替信号伝搬経路を提供する。1つまたは複数のデバイスは、ターゲットモバイルデバイスと比較して、サービングアクセスポイントとのより良いチャネル状態を有し得るので、1つまたは複数のデバイスは、モバイルターゲットデバイスとサービングアクセスポイントとの間の直接接続/リンクに対して、はるかにより高い信頼性を提供することができる。
【００２０】
一態様によれば、異なるリンクは、サービングアクセスポイントからターゲットデバイスに送信するために使用されるよりも、ターゲットデバイスへのダウンリンク送信を中継するために使用され得る。たとえば、ターゲットデバイスは、第1のリンクを介してサービングアクセスポイントからの第1の送信を受信するように適応され得、第1の送信の復号に失敗すると、ターゲットデバイスは、第2のリンクを介した第1の送信の再送信を要求することができる。近隣デバイスは、第2のリンクを介した第1の送信の再送信の要求を受信するように適応され得る。次いで、近隣デバイスは、第2のリンクを介して、第1の送信をターゲットデバイスに中継する。第1のリンクは、第1の周波数スペクトル、第1の通信プロトコル、ならびに/または第1の変調およびコーディング方式を使用することができるが、第2のリンクは、第1のリンクとは異なる、第2の周波数スペクトル、第2の通信プロトコル、ならびに/または第2の変調およびコーディング方式を使用することができる。
【００２１】
例示的な動作環境
図1は、例示的なワイヤレスネットワーク100を示すブロック図である。例示的なワイヤレスネットワーク100は、ターゲットモバイルデバイス102と、サービングアクセスポイント104と、2つの近隣デバイス106および108とを含み得る。サービングアクセスポイント104は、セクタによって画定され得る所与の領域内のデバイスにワイヤレスサービスを提供することができる。この例では、共有周波数スペクトルが、サービングアクセスポイント104によって、すべてのデバイス102、106、および108と通信するために使用され得る。したがって、(たとえば、サービングアクセスポイントによってデバイスにブロードキャストされる)すべてのダウンリンク送信、および、(たとえば、ターゲットモバイルデバイスおよび/または近隣デバイスによってサービングアクセスポイントにブロードキャストされる)アップリンク送信は、サービスされる領域内のすべての他のデバイスによってキャプチャまたは受信され得る。
【００２２】
一例では、サービングアクセスポイント104によってサービスされる各デバイス102、106、および108は、それにおいて送信を受信し、かつ/または送る、(たとえば、タイムスロット、スクランブリングコードなどによって定義された)割り振られたチャネルを有し得る。しかしながら、共有周波数スペクトルが、サービングアクセスポイント104によってすべての送信のために使用されるので、デバイス102、106、108は、範囲内であるので、他のデバイスへ/からの送信をリッスンすることができる。従来のシステムでは、所与のデバイスは、そのデバイスに向けられていない送信を無視する(たとえば、デバイスは、そのデバイスに向けられていない、または、その割り振られたチャネル内ではない送信を復号しない)。対照的に、この例示的なワイヤレスネットワーク100では、サービスされるデバイス102、106、108は、(そのデバイスに向けられているか、別のデバイスに向けられているかにかかわらず)一部または全部の送信をリッスンし、復号するように、(たとえば、サービングアクセスポイント104などによって)構成されるか、または動的に調整され得る。一実装形態では、サービングアクセスポイントからのブロードキャスト送信のための共有チャネルは、非同期である。非同期チャネルは、外部クロック信号を使用せずにデータを送信することができ、それによって、データが、一定または固定のストリーム内ではなく、部分的にまたは間欠的に送信されることが可能となる。
【００２３】
送信を中継するように構成されるとき、近隣デバイス106および108は、サービングアクセスポイント104と対象にされたターゲットモバイルデバイス102との間のすべての送信をキャプチャし、送信を復号し、復号された送信をアップリンクおよび/またはダウンリンク方向に中継または転送することができる。
【００２４】
例示的なダウンリンクデバイス間支援
図2は、近隣デバイスが、ターゲットモバイルデバイス102に向けられたサービングアクセスポイント104からの送信をキャプチャする、図1の例示的なワイヤレスネットワーク100におけるダウンリンク支援を示すブロック図である。ダウンリンク送信110aは、サービングアクセスポイント104によって、予定受信側のターゲットモバイルデバイス102に送られ得る。ダウンリンク送信110aは、ブロードキャスト、制御、またはデータ送信のためのものであり得る。
【００２５】
この例では、ターゲットモバイルデバイス102は、ダウンリンク送信110aを受信する。近隣デバイス106および108はまた、ダウンリンク送信110bおよび110cをそれぞれ受信し、(たとえば、予定受信側を確認するために)ダウンリンク送信110bおよび110cを復号するように構成され得、たとえば、ターゲットモバイルデバイス102への後続の中継または再送信のために、受信されたダウンリンク送信110bおよび110cをバッファかつ/または一時的に記憶することができる。一実装形態では、サービングアクセスポイントからのブロードキャスト送信のための共有チャネルは、非同期であり得る。
【００２６】
この共有の非同期の第1のチャネルは、共有の非同期の第1のチャネルを介して受信された第1の送信がターゲットモバイルデバイス102に向けられているか否かを決定するために、監視され得る。受信された第1の送信は、共有の非同期の第1のチャネルまたは異なる第2のチャネルを介して、ターゲットデバイスへ、しきい値時間期間の満了後に中継され得る。
【００２７】
図3は、近隣デバイス106および108が、それぞれ、ターゲットモバイルデバイス102に向けられたサービングアクセスポイント104からの個々の中継信号312および314を再送信または中継する、例示的なワイヤレスネットワーク100におけるダウンリンク支援を示すブロック図である。この例では、近隣デバイス106および108は、本質的に前にキャプチャされた送信110bおよび110cである中継信号312および314を、ターゲットモバイルデバイス102に中継することができる。一実装形態では、中継信号312および314の中継は、しきい値時間期間の満了後のみに発生する。
【００２８】
送信の中継信号312および314をターゲットモバイルデバイス102に中継するより前に、近隣デバイス106および108は、ターゲットモバイルデバイス102が近く(たとえば、ターゲットモバイルデバイス102からの送信の信号強度に基づくローカル領域316内)にあるか否かを確認することができるか、または、ターゲットモバイルデバイス102への送信を中継するように(たとえば、サービングアクセスポイント104によって)命令され得るかのいずれかである。
【００２９】
中継信号312および314の中継された送信は、いくつかの送信機が同じ周波数チャネルを介して同じ信号を同時に送る、単一周波数ネットワーク(SFN)を作成する働きをすることができる。次いで、ターゲットモバイルデバイス102は、送信された信号を抽出するために、受信された送信を結合することができる。
【００３０】
一態様によれば、中継信号312および314の中継送信は、ターゲットモバイルデバイス102に送信されるときにサービングアクセスポイント104によって使用される同じ周波数またはチャネルを再使用することができる。代替的に、中継信号312および314の中継送信は、ターゲットモバイルデバイス102に送信するために、サービングアクセスポイント104によって使用された周波数またはチャネルとは異なる、および/または別個である、異なる周波数またはチャネル(たとえば、Wifiチャネル)、たとえば、近隣デバイス106および108からターゲットモバイルデバイス102への別個のアップリンクチャネル上であり得る。一実装形態では、中継信号312および314のために使用される再送信時間/周波数リソースは、要求されるか、または事前に割り振られ得る。
【００３１】
一特徴によれば、アクセスポイント104は、近隣デバイス106および108の中継の特徴を認識していることがあり、SFN性能を向上させるために、そのような中継信号312および314と一致するように、それ自体の再送信310のタイミングをとる/それ自体の再送信310を同期させることができる。一実装形態では、中継信号312および314は、しきい値時間期間の満了後に中継され得る。
【００３２】
一例では、ターゲットモバイルデバイス102は、ローカル否定応答(NAK)メッセージを使用することによって、近隣デバイス106および108から、またはサービングアクセスポイント104からの、再送信のための要求を送ることができる。一例では、再送信のための要求は、サービングアクセスポイント104に送られ得、次いで、サービングアクセスポイント104は、前にキャプチャされた送信をターゲットモバイルデバイス102に中継するように、近隣デバイス106および108に命じることができる。
【００３３】
サービングアクセスポイント104が、信号を中継するように近隣デバイス106および108に命じるとき、少数の実施形態が可能である。たとえば、サービングアクセスポイント104は、信号を中継するように、セルまたは領域内のすべてのデバイスに求めることができ、中継送信のための特定の時間および周波数チャネルリソースを割り振ることができる。別の例として、アクセスポイント104は、中継するようにデバイスのサブセットに求めることができる。それより前に、サービングアクセスポイント104は、どのようなデバイスがターゲットモバイルデバイス102に近い(すなわち、その近隣である)かの知識を獲得することができる。たとえば、デバイスが近くのデバイスを発見する発見時間期間があり得る。近隣デバイスA106および近隣デバイスB108は、それらがターゲットモバイルデバイス102の近くにあることを、サービングアクセスポイント104に報告し、アクセスポイント104が支援を必要とするとき、信号を中継するために近隣デバイスA106および近隣デバイスB108を選択するようにすることができる。
【００３４】
様々な実装形態では、ターゲットモバイルデバイス102は、サービングアクセスポイント104のカバレージ領域内であっても、サービングアクセスポイント104のカバレージ領域外であってもよい。
【００３５】
図4は、3つのダウンリンク中継シナリオを示す。
【００３６】
第1のダウンリンク中継シナリオ402では、近隣デバイス408は、送信を復号可能になり、その受信側を識別可能になるとすぐに、ターゲットモバイルデバイス410に向けられた送信414を中継する(たとえば、復号および転送動作)。
【００３７】
第2のダウンリンク中継シナリオ404では、近隣デバイス408は、再送信が所望されるというインジケータ(NAK)418を受信した後、ターゲットモバイルデバイス410に向けられた送信416を中継する。サービングアクセスポイント412もまた、インジケータ(NAK)を受信すると、再送信420を送ることができることに留意されたい。
【００３８】
第3のダウンリンク中継シナリオ406では、ターゲットモバイルデバイス410は、最初にローカルまたは近隣デバイスからの再送信426を探索するために、ローカルインジケータ(NAK)422を送ることができる。ターゲットモバイルデバイス410は、サービングアクセスポイント412からの再送信430を探索するために、第2のインジケータ(WAN NAK)428を送ることができる。ターゲットモバイルデバイス410から送られる第2のインジケータ428は、サービングアクセスポイント412からターゲットモバイルデバイス410への干渉424の送信によってトリガされ得る。
【００３９】
代替的な第4のシナリオ(図示せず)では、近隣デバイスは、ターゲットモバイルデバイスに向けられているあらゆる送信をプロアクティブに復号する必要がない。代わりに、サービングアクセスポイントは、最初に、たとえば、通常のユニキャスト識別子を使用して、ユニキャスト方式でターゲットモバイルデバイスに送信することができる。次いで、たとえば、失敗した送信のために、ダウンリンク支援がターゲットモバイルデバイスのために使用されるとき、サービングアクセスポイントは、たとえば、特殊なグラント識別子を使用して、ある特定の送信を受信かつ復号するように、すべての近隣デバイスに指示することができる。近隣デバイスは、サービングアクセスポイントからの指示を受信するときのみ、サービングアクセスポイントからの送信を復号し、ターゲットモバイルデバイスに中継することになる。
【００４０】
図5は、ターゲットデバイスのためのダウンリンク送信支援のための、少なくとも1つの近隣デバイス(たとえば、図1〜図3のデバイス106または108)上で動作可能な例示的な方法500を示す。
【００４１】
502で、少なくとも1つの近隣デバイスは、サービングアクセスポイントからのブロードキャスト送信のための共有の非同期の第1のチャネルを監視する。504で、次いで、少なくとも1つの近隣デバイスは、共有の非同期の第1のチャネルを介して受信された第1の送信がターゲットデバイスに向けられているか否かを決定することができる。次いで、506で、受信された第1の送信は、しきい値時間期間の満了後、共有の非同期の第1のチャネルまたは異なる第2のチャネルを介して、ターゲットデバイスに中継され得る。
【００４２】
一例では、共有の非同期の第1のチャネルおよび第2のチャネルは、異なる重複しない周波数スペクトルを介して確立される。
【００４３】
別の例では、共有の非同期の第1のチャネルは、第2のチャネルと同一の広がりをもつ。
【００４４】
また別の例では、しきい値時間期間は、第1の送信の受信に対して同期している。すなわち、しきい値時間期間と第1の送信の受信の両方が、同じクロックによって管理される。
【００４５】
また別の例では、この方法はまた、受信された第1の送信をキャプチャし、復号するステップを含む。また別の例では、この方法はまた、復号遅延後、受信された第1の送信を自動的に中継するステップを含む。
【００４６】
また別の例では、失敗インジケータがターゲットデバイスから受信される場合のみ、受信された第1の送信が中継される。
【００４７】
また別の例では、受信された第1の送信は、サービングアクセスポイントからの期待された再送信と同時発生的に中継され得る。
【００４８】
また別の例では、第1のチャネルは、第1の周波数スペクトル、第1の通信プロトコル、ならびに/または第1の変調およびコーディング方式を使用する。
【００４９】
また別の例では、この方法はまた、受信された第1の送信の再送信が第2のチャネルを介して所望されることを示すメッセージを、第2のチャネルを介してターゲットデバイスから受信するステップであって、第2のチャネルが、第1のチャネルとは異なる、第2の周波数スペクトル、第2の通信プロトコル、ならびに/または第2の変調およびコーディング方式を使用する、ステップを含む。
【００５０】
また別の例では、受信された第1の送信が、第1のチャネルを介した送信の期待された送信時間間隔内に中継される。
【００５１】
また別の例では、第1の送信が、第1のチャネルおよび/または第2のチャネルのチャネル状態にかかわらず、中継される。
【００５２】
また別の例では、第1のチャネルは、サービングアクセスポイントからのすべてのブロードキャスト送信のために共有される。
【００５３】
例示的なアップリンクデバイス間支援
図6は、近隣デバイスが、サービングアクセスポイント104に向けられたターゲットモバイルデバイス102からの送信をキャプチャする、例示的なワイヤレスネットワーク100におけるアップリンク支援を示すブロック図である。アップリンク送信610(610a、610b、610c)は、ターゲットモバイルデバイス102によって、予定受信側のサービングアクセスポイント104に送られ得る。アップリンク送信610(610a、610b、610c)は、ブロードキャスト、制御、またはデータ送信のためのものであり得る。アップリンク送信610の部分610aのみが、ターゲットモバイルデバイス102からサービングアクセスポイント104に完全に送信され得る。この部分610aは、復号失敗中に、ターゲットモバイルデバイス102からサービングアクセスポイント104に完全に送信されないことがある。
【００５４】
図6および図7は、サービングアクセスポイント104が近隣デバイス106および108の中継機能を認識している、第1の中継方式を示す。サービングアクセスポイント104は、近隣デバイス106、108がターゲットモバイルデバイス102からのメッセージをサービングアクセスポイント104に転送するための追加の時間リソースを事前に割り振ることができる。代替的に、サービングアクセスポイント104における復号失敗時、サービングアクセスポイント104は、ターゲットモバイルデバイス102からの失敗した送信を表す少なくとも中継信号712および714(図7)をそれぞれ中継するように、少なくとも近隣デバイス106および108に要求することができる。ここで、すべての送信側、送るデバイス、または送信を送るデバイスは、同じ時間および/または周波数リソースを使用して、ローカルの単一周波数ネットワークを形成することができる。
【００５５】
代替的に、サービングアクセスポイント104は、(送信を中継する能力があるか、またはそうすることができる、いくつかの近くの追加のデバイスの中から)ユニキャストされるべき中継を選択することができる。ターゲットモバイルデバイス102からの第1の送信は、近隣デバイス106、108に、および、ブロードキャスト送信のための共有の非同期の第1のチャネルを介して、サービングアクセスポイント104に送られ得る。サービングアクセスポイントは、近隣デバイス106、108によって受信された、ターゲットモバイルデバイス102からの送信を、サービングアクセスポイント104に転送するために、追加の時間期間を事前に割り振る。この第1の送信が、サービングアクセスポイント104によって受信されなかった場合、(近隣デバイス106、108によって)受信された第1の送信は、事前に割り振られた時間期間の満了後、共有の非同期の第1のチャネルまたは異なる第2のチャネルを介して、近隣デバイス106、108からサービングアクセスポイント104に中継され得る。
【００５６】
図8および図9は、サービングアクセスポイント104が近隣デバイスの中継機能を認識していない、第2の中継方式を示す。図8に示すように、ターゲットモバイルデバイス102は、ローカルのデバイス間リンク上で、その送信810bおよび810cを送り、ターゲットモバイルデバイス102が送信をサービングアクセスポイント104に送るより前に、両方の近隣デバイス106および108が送信を受信するようにすることができる。ターゲットモバイルデバイス102からの送信810bおよび810cは、近隣デバイス106、108のみに送られ得、ブロードキャスト送信のための共有の非同期の第1のチャネルを介して、サービングアクセスポイント104に送られなくてよい。
【００５７】
次いで、図9に示すように、ターゲットモバイルデバイス102および近隣デバイス106および108は、同じ送信910a、910b、および910cをサービングアクセスポイント104に同時にブロードキャストすることができる。したがって、送信810bおよび810cは、共有の非同期の第1のチャネルまたは異なる第2のチャネルを介して、ターゲットモバイルデバイス102からサービングアクセスポイント104への第3の送信910aとともに、910bおよび910cとして近隣デバイス106、108から同時にブロードキャストされ得る。第2の送信910bおよび910c(および、以前では図8における810bおよび810c)、ならびに第3の送信910aは、同じ送信であり得る。
【００５８】
図10は、3つのアップリンク中継シナリオを示す。
【００５９】
第1のアップリンク中継シナリオ1002では、近隣デバイス1008は、ターゲットモバイルデバイス1010からの送信1014をキャプチャし、送信を復号し、それを送信1016として、サービングアクセスポイント1012に自動的に転送/中継する(たとえば、復号および転送動作)。
【００６０】
第2のアップリンク中継シナリオ1004では、ターゲットモバイルデバイス1010は、その送信1018を最初に近隣デバイス1008にプリエンプティブに送る。その後、近隣デバイスによる、キャプチャされた送信1018の復号後、ターゲットモバイルデバイスと近隣デバイスの両方は、それらの送信1020、1022をサービングアクセスポイント1012に同時に送る。
【００６１】
第3のアップリンク中継シナリオ1006では、サービングアクセスポイント1012は、ターゲットモバイルデバイス1010からの送信1024に応答して、失敗インジケータ(NAK)1026を送ることができる。失敗インジケータ(NAK)は、少なくともターゲットモバイルデバイス1010によって受信され得る。失敗インジケータ(NAK)はまた、近隣デバイス1008によっても受信され得る。サービングアクセスポイント1012からの失敗インジケータの検出時に、近隣デバイス1008は、ターゲットモバイルデバイス1010からの再送信1028と並行して、またはそれと同時に、前にキャプチャされた送信1030を送ることができる。
【００６２】
図11は、サービングアクセスポイントのためのアップリンク送信支援のための、少なくとも1つの近隣デバイス(たとえば、図6〜図9の近隣デバイス106および108)上で動作可能な例示的な方法1100を示す。
【００６３】
1102で、少なくとも1つの近隣デバイスは、ブロードキャスト送信のための共有の非同期の第1のチャネルを介して、ターゲットデバイスから第1の送信を受信し、第1の送信が、ターゲットデバイスからサービングアクセスポイントにも送られる。1104で、少なくとも1つの近隣デバイスは、サービングアクセスポイントとの追加の時間期間を事前に割り振る。1106で、少なくとも1つの近隣デバイスは、第1の送信がサービングアクセスポイントによって受信されなかったか否かを決定する。1108で、少なくとも1つの近隣デバイスは、事前に割り振られた追加の時間期間の満了後、共有の非同期の第1のチャネルまたは異なる第2のチャネルを介して、受信された第1の送信をサービングアクセスポイントに中継する。
【００６４】
一例では、この方法はまた、少なくとも1つの近隣デバイスが、ブロードキャスト送信のための共有の非同期の第1のチャネルを介して、ターゲットデバイスから第2の送信を受信するステップであって、第2の送信がサービングアクセスポイントに送られない、ステップを含む。この方法は、共有の非同期の第1のチャネルまたは異なる第2のチャネルを介して、少なくとも1つの近隣デバイスからの受信された第2の送信と、ターゲットデバイスからの第3の送信の両方を、サービングアクセスポイントに同時にブロードキャストするステップであって、第2の送信および第3の送信が同じ送信である、ステップをさらに含む。
【００６５】
別の例では、送信を送るすべてのデバイスは、同じ時間および/または周波数リソースを使用して、ローカルの単一周波数ネットワークを形成する。
【００６６】
また別の例では、サービングアクセスポイントは、送信を中継する能力があるいくつかの近くの追加のデバイスから、ユニキャストされるべき受信された第1の送信の中継を選択する。
【００６７】
また別の例では、1106で、少なくとも1つの近隣デバイスは、サービングアクセスポイントが、少なくともターゲットデバイスによって受信される失敗インジケータ(NAK)を送るか否かを決定することによって、第1の送信がサービングアクセスポイントによって受信されなかったか否かを決定する。
【００６８】
一例では、共有の非同期の第1のチャネルおよび第2のチャネルは、異なる重複しない周波数スペクトルを介して確立される。
【００６９】
別の例では、共有の非同期の第1のチャネルは、第2のチャネルと同一の広がりをもつ。
【００７０】
また別の例では、しきい値時間期間は、第1の送信の受信に対して同期している。
【００７１】
また別の例では、この方法はまた、受信された第1の送信をキャプチャし、復号するステップを含む。また別の例では、この方法はまた、復号遅延後、受信された第1の送信を自動的に中継するステップを含む。
【００７２】
また別の例では、失敗インジケータがサービングアクセスポイントから受信される場合のみ、受信された第1の送信が中継される。
【００７３】
また別の例では、受信された第1の送信は、ターゲットデバイスからの期待された再送信と同時発生的に中継され得る。
【００７４】
また別の例では、第1のチャネルは、第1の周波数スペクトル、第1の通信プロトコル、ならびに/または第1の変調およびコーディング方式を使用する。
【００７５】
また別の例では、この方法はまた、受信された第1の送信の再送信が第2のチャネルを介して所望されることを示すメッセージを、第2のチャネルを介してサービングアクセスポイントから受信するステップであって、第2のチャネルが、第1のチャネルとは異なる、第2の周波数スペクトル、第2の通信プロトコル、ならびに/または第2の変調およびコーディング方式を使用する、ステップを含む。
【００７６】
また別の例では、受信された第1の送信が、第1のチャネルを介した送信の期待された送信時間間隔内に中継される。
【００７７】
また別の例では、第1の送信が、第1のチャネルおよび/または第2のチャネルのチャネル状態にかかわらず、中継される。
【００７８】
また別の例では、第1のチャネルは、ターゲットデバイスからのすべてのブロードキャスト送信のために共有される。
【００７９】
タイムライン差を活用しながらの例示的な中継
図12は、近隣デバイス1204からの中継送信が、サービングアクセスポイント1208からの再送信を要求するよりも前に、効率的に探索され得る、ダウンリンク支援方式を示す。この手法は、2つの異なるリンク、すなわち、ターゲットモバイルデバイス1206とサービングアクセスポイント1208との間の第1のリンク1210、および、ターゲットモバイルデバイス1206と近隣(中継)デバイス1204との間の第2のリンク1212を利用する。すなわち、第2のリンク1212は、近隣デバイス1204からターゲットモバイルデバイス1206に送信を中継するために、サービングアクセスポイント1208とターゲットモバイルデバイス1206との間の送信のために使用される第1のリンク1210とは異なるスペクトル、プロトコル、ならびに/または変調およびコーディング方式を使用することができる。
【００８０】
ダウンリンク中継方式1202は、サービングアクセスポイント1208とターゲットモバイルデバイス1206との間の送信のために使用されるべき、第1の周波数スペクトル(たとえば、ワイドエリアネットワークもしくはWAN)、第1の通信プロトコル、ならびに/または第1の変調およびコーディング方式を有する、第1のリンク1210を提供する。第2の周波数スペクトル(たとえば、ワイヤレスローカルエリアネットワークもしくはWLAN)、第2の通信プロトコル、ならびに/または第2の変調およびコーディング方式を有する、第2のリンク1212は、近隣デバイス1204とターゲットモバイルデバイス1206との間で中継するために使用され得る。第1のリンク1210は、より広い帯域幅とより短い遅延とを有し得る第2のリンク1212に対して、より長い遅延とともにより狭い帯域幅を有し得る。一例では、第1のリンク1210は、5G WLANであり得るが、第1のリンク1210とは異なる第2のリンク1212は、5G WANであり得る。別の例では、第1のリンク1210は、ロングタームエボリューションまたはLTEリンクであり得るが、第2のリンク1212は、WiFiリンクであり得る。
【００８１】
サービングアクセスポイントが、第1のリンク1210(たとえば、WAN)を介して、ターゲットモバイルデバイス1206にダウンリンク1214を送信するとき、ダウンリンク送信1216もまた、近隣デバイス1204によってキャプチャされる。ターゲットモバイルデバイス1206が、ダウンリンク送信1214を復号することができないか、または、受信されたダウンリンク送信1214において誤りを検出する場合、ターゲットモバイルデバイス1206は、サービングアクセスポイント1208からの再送信1224を探索する前に、第2のリンク1212(たとえば、WLAN)を使用して、近くのまたは近隣デバイス1204と通信して、ローカル再送信1220を要求することができる。たとえば、ターゲットモバイルデバイス1206は、第2のリンク1212を介して、ローカルNAKメッセージ1218(たとえば、デバイス間)を送ることができる。この送信は、NAKメッセージ1218を受信する近くのまたは近隣デバイス1204が、ターゲットモバイルデバイス1206に向けられた前の送信1220を(そのような前の送信を受信しており、それを復号することができた場合に)転送または中継するための要求として、働き得る。そのようなローカルNAKメッセージ1218を受信すると、ターゲットモバイルデバイス1206によって要求された前のメッセージをキャプチャかつ復号したいずれかの近くのまたは近隣デバイス1204は、第2のリンク1212(たとえば、WLAN)を介して、それを中継することができる。
【００８２】
一例では、第2のリンク1212を介した送信は、第1のリンク1210を介した送信よりも短い送信時間間隔(TTI)を有し得る。したがって、本明細書で説明する協調的手法は、ネットワークに負荷をかけることなく、超高信頼性通信を提供することができる。
【００８３】
加えて、サービングアクセスポイント1208とターゲットモバイルデバイス1206との間の第1のリンク1210を介した送信は、第1の変調およびコーディング方式(MCS)を利用することができるが、近隣デバイス1204とターゲットモバイルデバイス1206との間の第2のリンク1212を介した中継送信は、第1のMCSよりも高い変調および/またはコーディングを有する第2のMCSを使用することができる。したがって、ターゲットモバイルデバイス1206は、それによってターゲットモバイルデバイス1206がNAKメッセージ1222をサービングアクセスポイント1208に送る必要がある第1のリンク1210の時間間隔の満了より前に、第2のリンク1212を介して近隣デバイス1204からの中継送信を要求し、取得することが可能であり得る。
【００８４】
ターゲットモバイルデバイス1206が、第2のリンク1212を介して近隣デバイス1204から、中継された送信を正しく受信することができる場合、ターゲットモバイルデバイス1206は、第1のリンク1210を介して、NAKメッセージ1222をサービングアクセスポイント1208に送る必要がないことがある。一例では、第1のリンク1210(たとえば、第1の通信プロトコル)は、約1ミリ秒のTTIを指定することができるが、第2のリンク1212(たとえば、第2の通信プロトコル)は、100マイクロ秒足らずでパケットを送信することが可能であり得る。したがって、近くのまたは近隣デバイス1204からの中継送信は、第1のリンク1210のためのTTI内で、第2のリンク1212を使用して探索かつ受信され得る。第2のリンク1212は、第1のリンク1210を介した送信よりも短い送信時間間隔(TTI)を有し得る。
【００８５】
異なるタイプのリンクを使用するこの手法は、本明細書で説明するすべてのアップリンクおよびダウンリンク送信方式に適用され得る。
【００８６】
図13は、ワイヤレス通信デバイス1302を示すブロック図である。ワイヤレス通信デバイス1302は、ワイヤレス通信回路1306と、メモリ/記憶デバイス1310と、ユーザ入力回路1322と、ディスプレイ回路1326とに結合された、処理回路1304を含み得る。ワイヤレス通信回路1306は、2つ以上の異なるワイヤレスネットワーク1308、または、ターゲットデバイス、他の近隣デバイス、もしくはサービングアクセスポイントなど、ワイヤレス通信デバイスを介して、ワイヤレス通信を容易にすることができる。ワイヤレス通信デバイス1302は、たとえば、モバイルデバイス、またはユーザデバイス、またはユーザ機器(UE)であり得る。
【００８７】
処理回路1304は、ワイヤレス通信デバイス1302が、サービングアクセスポイントからのブロードキャスト送信のための共有の非同期の第1のチャネルを監視することを可能にする、非同期チャネル監視モジュール/回路1314を含むか、または実装することができる。
【００８８】
処理回路1304はまた、ワイヤレス通信デバイス1302が、共有の非同期の第1のチャネルを介して受信された第1の送信がターゲットデバイスに向けられているか否かを分析または決定することを可能にする、送信分析モジュール/回路1316を含むか、または実装することができる。
【００８９】
処理回路1304はまた、ワイヤレス通信デバイス1302が、しきい値時間期間の満了後、共有の非同期の第1のチャネルまたは異なる第2のチャネルを介して、受信された第1の送信をターゲットデバイスに中継することを可能にする、送信中継モジュール/回路1318を含むか、または実装することができる。
【００９０】
ワイヤレス通信デバイス1302はまた、チャネルデータ1312と送信データ1320とを記憶する、メモリ/記憶デバイス1310を含む。チャネルデータ1312は、ワイヤレス通信デバイス1302が、対象とする送信のためにどのチャネルを監視するべきか、およびどのチャネルを介して送信を中継するべきかを知ることを可能にする。送信データ1320は、ワイヤレス通信デバイス1302が、どのブロードキャスト送信のためにチャネルを監視するべきか、受信された第1の送信がターゲットデバイスに向けられているか否か、および送信を中継するために必要なデータを知ることを可能にする。
【００９１】
ユーザ入力回路1322は、外部のユーザ入力デバイス1324とインターフェースし、それに結合され得、ディスプレイ回路1326は、外部のディスプレイ出力デバイス1328とインターフェースし、それに結合され得る。ユーザ入力デバイス1324からの入力を取ることに加えて、ユーザ入力回路1322はまた、ユーザが見ることができるタッチスクリーンまたは他の外部ハードウェアなど、インタラクティブディスプレイを介して、出力制御を提供することもできる。同様に、グラフィカルユーザインターフェース(GUI)または他のユーザインターフェース(UI)において視覚出力を表示することに加えて、ディスプレイ回路1326はまた、ユーザが使用することができるタッチスクリーンまたは他のインタラクティブな外部ハードウェアなど、インタラクティブディスプレイ構成要素を介して、ユーザ入力オプションを提供することもできる。
【００９２】
図14は、ネットワーク通信デバイス1402を示すブロック図である。ネットワーク通信デバイス1402は、ワイヤレス通信回路1406と、ネットワーク通信回路1420と、メモリ/記憶デバイス1410とに結合された、処理回路1404を含み得る。ワイヤレス通信回路1406は、2つ以上の異なるワイヤレスネットワーク1408、または、近隣デバイス、ターゲットデバイス、もしくは任意の他のサービングアクセスポイントなど、ワイヤレス通信デバイスを介して、ワイヤレス通信を容易にすることができる。ネットワーク通信回路1420は、少なくとも1つのコアネットワーク1422へ、および/またはそれからのデータ通信を容易にすることができる。ネットワーク通信デバイス1402は、たとえば、ネットワークノード、アクセスポイント、またはeNB(発展型ユニバーサル地上波無線アクセスネットワーク(E-UTRAN)ノードB、もしくは発展型ノードB)であり得る。
【００９３】
処理回路1404は、ネットワーク通信デバイス1402が、ブロードキャスト送信のための共有の非同期の第1のチャネルを介して、ターゲットデバイスから第1の送信を受信することであって、第1の送信が、ターゲットデバイスからサービングアクセスポイントにも送られる、ことを可能にする、送信受信モジュール/回路1414を含むか、または実装することができる。送信受信モジュール/回路1414はまた、ネットワーク通信デバイス1402が、ブロードキャスト送信のための共有の非同期の第1のチャネルを介して、ターゲットデバイスから第2の送信を受信することであって、第2の送信がサービングアクセスポイントに送られない、ことを可能にする。
【００９４】
処理回路1404はまた、ネットワーク通信デバイス1402が、サービングアクセスポイントとの追加の時間期間を事前に割り振ることを可能にする、時間期間事前割振りモジュール/回路1416を含むか、または実装することもできる。
【００９５】
処理回路1404はまた、ネットワーク通信デバイス1402が、第1の送信がサービングアクセスポイントによって受信されなかったか否かを分析または決定することを可能にする、送信分析モジュール/回路1418を含むか、または実装することもできる。
【００９６】
処理回路1404はまた、ネットワーク通信デバイス1402が、事前に割り振られた追加の時間期間の満了後、共有の非同期の第1のチャネルまたは異なる第2のチャネルを介して、受信された第1の送信をサービングアクセスポイントに中継することを可能にする、送信中継モジュール/回路1424を含むか、または実装することもできる。送信中継モジュール/回路1424はまた、ネットワーク通信デバイス1402が、共有の非同期の第1のチャネルまたは異なる第2のチャネルを介して、受信された第2の送信と、ターゲットデバイスからの第3の送信の両方を、サービングアクセスポイントに同時にブロードキャストすることであって、第2の送信および第3の送信が同じ送信である、ことを可能にする。
【００９７】
ネットワーク通信デバイス1402はまた、チャネルデータ1412と送信データ1426とを記憶する、メモリ/記憶デバイス1410を含む。チャネルデータ1412は、ネットワーク通信デバイス1402が、どのチャネルから送信が受信されたかを知ることを可能にする。チャネルデータ1412はまた、チャネルを介して発生する送信についての必要なデータを記憶する。送信データ1426は、ネットワーク通信デバイス1402が、送信が受信されたか否か、およびその送信がどこから送られたかを知ることを可能にする。送信データ1426はまた、送信を中継するために必要なデータを記憶する。
【００９８】
図15は、それぞれ、図13および図14のデバイス1302および1402の通信回路1500(たとえば、ワイヤレス通信回路1306および1406、ならびにネットワーク通信回路1420)の一例を示すブロック図である。簡単のために、この通信回路は、ワイヤレス通信回路とネットワーク通信回路の両方を表すにもかかわらず、図15では通信回路1500、または複合通信回路1500と呼ばれることになる。図15の例では、少なくとも1つのトランシーバチェーンが実装され得る。この場合、同時にアクティブであり得る2つのトランシーバチェーンが示され、実装される。第1のトランシーバチェーンは、第1の無線周波数(RF)プロセッサ1504と第1のRFフロントエンドインターフェース1510とを含み得る。第2のトランシーバチェーンは、第2のRFプロセッサ1506と第2のRFフロントエンドインターフェース1512とを含み得る。さらに、第1のRFプロセッサ1504および第2のRFプロセッサ1506は、第1のRFフロントエンドインターフェース1510および第2のRFフロントエンドインターフェース1512にそれぞれ結合され得る。第1のRFプロセッサ1504と第2のRFプロセッサ1506の両方は、モデムプロセッサ1508に結合され得る。モデムプロセッサ1508は、第1の送信信号1514を第1のRFプロセッサ1504に、および第2の送信信号1518を第2のRFプロセッサ1506に送信する。モデムプロセッサ1508はまた、第1のRFプロセッサ1504からの第1の受信信号1516、および第2のRFプロセッサ1506からの第2の受信信号1522を受信する。処理回路へ/からのエリア1502は、モデムプロセッサ1508から、たとえば、それぞれ図13および図14からのワイヤレス通信デバイス1302およびネットワーク通信デバイス1402の処理回路1304および1404につながる。第1のRFフロントエンドインターフェース1510および第2のRFフロントエンドインターフェース1512からのアンテナは、ワイヤレスネットワーク、ワイヤレス通信デバイス、およびコアネットワーク1520へ/からつながる。
【００９９】
図面に示す構成要素、ステップ、特徴および/または機能のうちの1つまたは複数は、単一の構成要素、ステップ、特徴、または機能に再構成および/または結合されてよく、あるいは、いくつかの構成要素、ステップまたは機能で具現化されてもよい。また、本明細書で開示する新規の特徴から逸脱することなく追加の要素、構成要素、ステップ、および/または機能が追加され得る。図面に示す装置、デバイス、および/または構成要素は、図面に記載した方法、特徴、またはステップのうちの1つまたは複数を実行するように構成され得る。本明細書で説明する新規のアルゴリズムはまた、ソフトウェアで効率的に実装されてもよく、かつ/またはハードウェアに埋め込まれてもよい。
【０１００】
また、実施形態については、フローチャート、流れ図、構造図、またはブロック図として示されるプロセスとして説明する場合があることに留意されたい。フローチャートは、動作について順次プロセスとして説明することがあるが、動作の多くは、並行してまたは同時に実行され得る。加えて、動作の順序は並べ替えられてもよい。プロセスは、その動作が完了するときに終了する。プロセスは、方法、関数、プロシージャ、サブルーチン、サブプログラムなどに対応し得る。プロセスが関数に対応するとき、その終了は、呼出し側関数またはメイン関数への関数の戻りに対応する。
【０１０１】
その上、記憶媒体は、読取り専用メモリ(ROM)、ランダムアクセスメモリ(RAM)、磁気ディスク記憶媒体、光記憶媒体、フラッシュメモリデバイス、ならびに/または他の機械可読媒体、プロセッサ可読媒体、および/もしくは情報を記憶するためのコンピュータ可読媒体を含む、データを記憶するための1つまたは複数のデバイスを表し得る。「機械可読媒体」、「コンピュータ可読媒体」、および/または「プロセッサ可読媒体」という用語は、ポータブルまたは固定記憶デバイス、光記憶デバイス、ならびに、命令および/またはデータを記憶、包含または搬送する能力がある様々な他の媒体など、非一時的媒体を含み得るが、それらに限定されない。したがって、本明細書で説明する様々な方法は、「機械可読媒体」、「コンピュータ可読媒体」、および/または「プロセッサ可読媒体」内に記憶され、1つまたは複数のプロセッサ、機械および/またはデバイスによって実行され得る、命令および/またはデータによって、完全にまたは部分的に実装され得る。
【０１０２】
さらに、実施形態は、ハードウェア、ソフトウェア、ファームウェア、ミドルウェア、マイクロコード、またはそれらの任意の組合せによって実装され得る。ソフトウェア、ファームウェア、ミドルウェアまたはマイクロコードにおいて実装されるとき、必要なタスクを実行するためのプログラムコードまたはコードセグメントは、記憶媒体または他のストレージなどの機械可読媒体内に記憶され得る。プロセッサは、必要なタスクを実行することができる。コードセグメントは、プロシージャ、関数、サブプログラム、プログラム、ルーチン、サブルーチン、モジュール、ソフトウェアパッケージ、クラス、または命令、データ構造もしくはプログラムステートメントの任意の組合せを表す場合がある。コードセグメントは、情報、データ、引数、パラメータ、またはメモリ内容を渡すことおよび/または受け取ることによって、別のコードセグメントまたはハードウェア回路に結合されてもよい。情報、引数、パラメータ、データなどは、メモリ共有、メッセージパッシング、トークンパッシング、ネットワーク送信などを含む、任意の適切な手段を介して渡されてもよく、転送されてもよく、または送信され得る。
【０１０３】
本明細書で開示する例に関して説明する様々な例示的な論理ブロック、モジュール、回路、要素、および/または構成要素は、汎用プロセッサ、デジタル信号プロセッサ(DSP)、特定用途向け集積回路(ASIC)、フィールドプログラマブルゲートアレイ(FPGA)もしくは他のプログラマブル論理構成要素、個別ゲートもしくはトランジスタ論理、個別ハードウェア構成要素、または本明細書で説明する機能を実行するように設計されたそれらの任意の組合せで実装または実行され得る。汎用プロセッサはマイクロプロセッサであり得るが、代替として、プロセッサは、任意の従来型プロセッサ、コントローラ、マイクロコントローラ、またはステートマシンであり得る。プロセッサはまた、コンピューティング構成要素の組合せ、たとえば、DSPとマイクロプロセッサとの組合せ、いくつかのマイクロプロセッサ、DSPコアと連係した1つもしくは複数のマイクロプロセッサ、または他の任意のそのような構成として実装され得る。
【０１０４】
本明細書で開示する例に関して説明する方法またはアルゴリズムは、直接ハードウェアにおいて、プロセッサによって実行可能なソフトウェアモジュールにおいて、または両方の組合せにおいて、処理ユニット、プログラミング命令、または他の指示の形態で具現化されてもよく、また、単一のデバイスに含まれてもよく、または複数のデバイスにわたって分散されてもよい。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野において知られている任意の他の形態の記憶媒体内に存在し得る。プロセッサが記憶媒体から情報を読み取り、記憶媒体に情報を書き込むことができるように、記憶媒体はプロセッサに結合され得る。代替形態では、記憶媒体は、プロセッサに一体化される場合がある。
【０１０５】
本明細書で開示する実施形態に関して説明する様々な例示的な論理ブロック、モジュール、回路、およびアルゴリズムステップは、電子ハードウェア、コンピュータソフトウェア、または両方の組合せとして実装されてもよいことを当業者はさらに諒解されよう。ハードウェアとソフトウェアとのこの互換性を明確に示すために、様々な例示的な構成要素、ブロック、モジュール、回路、およびステップが、これまで概してそれらの機能の観点から説明されてきた。そのような機能がハードウェアとして実装されるか、ソフトウェアとして実装されるかは、特定の適用例およびシステム全体に課される設計制約によって決まる。
【０１０６】
本明細書で説明する本発明の様々な特徴は、本発明から逸脱することなく、異なるシステム内で実装され得る。上記の実施形態は例にすぎず、本発明を限定するものと解釈すべきではないことに留意されたい。実施形態の説明は例示的なものであり、特許請求の範囲を限定するものではない。したがって、本教示は、他のタイプの装置に容易に適用することができ、多数の代替、修正、および変形が当業者には明らかであろう。
【符号の説明】
【０１０７】
100  ワイヤレスネットワーク
102  ターゲットモバイルデバイス、デバイス
104  サービングアクセスポイント、アクセスポイント
106  近隣デバイス、デバイス、近隣デバイスA
108  近隣デバイス、デバイス、近隣デバイスB
110a、1216  ダウンリンク送信
110b、110c  ダウンリンク送信、前にキャプチャされた送信
310、420、426、430、1028、1224  再送信
312、314、712、714  中継信号
316  ローカル領域
402  第1のダウンリンク中継シナリオ
404  第2のダウンリンク中継シナリオ
406  第3のダウンリンク中継シナリオ
408、1008  近隣デバイス
410、1010、1206  ターゲットモバイルデバイス
412、1012、1208  サービングアクセスポイント
414、416、810b、810c、1014、1016、1018、1020、1022、1024、1030  送信
418  インジケータ(NAK)
422  ローカルインジケータ(NAK)
424  干渉
428  第2のインジケータ(WAN NAK)
610、610b、610c  アップリンク送信
610a  アップリンク送信、部分
910a  送信、第3の送信
910b、910c  送信、第2の送信
1002  第1のアップリンク中継シナリオ
1004  第2のアップリンク中継シナリオ
1006  第3のアップリンク中継シナリオ
1026  失敗インジケータ(NAK)
1202  ダウンリンク中継方式
1204  近隣デバイス、近隣(中継)デバイス、近くのまたは近隣デバイス
1210  第1のリンク
1212  第2のリンク
1214  ダウンリンク、ダウンリンク送信
1218  ローカルNAKメッセージ、NAKメッセージ
1220  ローカル再送信、前の送信
1222  NAKメッセージ
1302  ワイヤレス通信デバイス、デバイス
1304、1404  処理回路
1306、1406  ワイヤレス通信回路
1308、1408  ワイヤレスネットワーク
1310、1410  メモリ/記憶デバイス
1312、1412  チャネルデータ
1314  非同期チャネル監視モジュール/回路
1316、1418  送信分析モジュール/回路
1318、1424  送信中継モジュール/回路
1320、1426  送信データ
1322  ユーザ入力回路
1324  ユーザ入力デバイス
1326  ディスプレイ回路
1328  ディスプレイ出力デバイス
1402  ネットワーク通信デバイス、デバイス
1414  送信受信モジュール/回路
1416  時間期間事前割振りモジュール/回路
1420  ネットワーク通信回路
1422  コアネットワーク
1500  通信回路、複合通信回路
1502  処理回路へ/からのエリア
1504  第1の無線周波数(RF)プロセッサ
1506  第2のRFプロセッサ
1508  モデムプロセッサ
1510  第1のRFフロントエンドインターフェース
1512  第2のRFフロントエンドインターフェース
1514  第1の送信信号
1516  第1の受信信号
1518  第2の送信信号
1520  ワイヤレスネットワーク、ワイヤレス通信デバイス、およびコアネットワーク
1522  第2の受信信号
【図１】
0006675381.tif 000002
【図２】
0006675381.tif 000003
【図３】
0006675381.tif 000004
【図４】
0006675381.tif 000005
【図５】
0006675381.tif 000006
【図６】
0006675381.tif 000007
【図７】
0006675381.tif 000008
【図８】
0006675381.tif 000009
【図９】
0006675381.tif 000010
【図１０】
0006675381.tif 000011
【図１１】
0006675381.tif 000012
【図１２】
0006675381.tif 000013
【図１３】
0006675381.tif 000014
【図１４】
0006675381.tif 000015
【図１５】
0006675381.tif 000016